(57)【要約】      （修正有）【課題】鑑賞魚用水槽用濾過装置の逆流防止構造の提供。【解決手段】濾過装置の導水管３１内に取り付けることにより、停電時に濾過装置から水が逆流する現象を防止する機構である。濾過装置の導水管の底部に内管３２を挿入し、この内管を導水管内に差込むが、当該導水管内部における内管の管口の箇所には逆止弁３３が設置されている。逆止弁は数個の凹型溝３３１から成る構造であり先端には止水部３３２を具備しているので、抽水モーター停止に当たり水が濾過装置から導水管に向かって流れるが、水は逆止弁の止水部分により内管の管口部分で遮断され、濾過装置中において一定の水位が保たれることから、抽水モーターの運転再開に当たり水位不足を原因とする空転による故障を回避して、濾過装置における恒常的な正常運転を確保せしめるものである。【選択図】図２
0003118073.tif 000002
【実用新案登録請求の範囲】
【請求項１】
鑑賞魚用水槽用濾過装置の逆流防止構造において、抽水モーター付き濾過装置の導水管内に内管が設けられ、この内管が導水管内に差込まれ、当該導水管内部と内管の管口の箇所に逆止弁が設置され、
逆止弁は導水管内にあり、その一端は数個の凹型溝から成り、下端には止水部を具備し、水を止水部により内管の管口部分で遮断するよう形成されたことを特徴とする、鑑賞魚用水槽用濾過装置の逆流防止構造。
【請求項２】
請求項１記載の鑑賞魚用水槽用濾過装置の逆流防止構造において、当該逆止弁は導水管内において上下に移動可能であることを特徴とする、鑑賞魚用水槽用濾過装置の逆流防止構造。
【請求項３】
請求項１記載の鑑賞魚用水槽用濾過装置の逆流防止構造において、当該内管近くの管口において止水リングが設けられたことを特徴とする、鑑賞魚用水槽用濾過装置の逆流防止構造。
【考案の詳細な説明】
【技術分野】
【０００１】
本考案は鑑賞魚用水槽用濾過装置の逆流防止構造に関するものであり、濾過装置の導水管内に取り付けることにより、停電時に濾過装置から水が逆流する現象を防止する結構である。
【背景技術】
【０００２】
図１において従来型の水槽濾過装置の構造図が示されている。濾過装置１が水槽２の側面に取り付けられ、その導水管１１の一端が送水孔を兼ね水槽２の上部まで伸びており、もう一方は濾過装置１内部の抽水モーター１２に連結されている。抽水モーター１２運転時において、水槽２内の水は抽水モーター１２の作用により導水管１１を経て濾過装置１の内部容器１０に流入、内部容器１０が満たされると同時に水は吐水口１３から水槽２に流入するという、いわゆるサイフォンの原理で循環作用を発生させたものである。
【０００３】
しかし抽水モーター１２が停電またはその他の原因により運転停止された場合には、内部容器１０の水位が水槽２の最高水位を上回ることにより逆サイフォンの原理が発生し、内部容器１０の水が導水管１１を経て水槽２まで逆流し、内部容器１０の水位は抽水モーター１２の出水位置を下回ることになることから、停電から回復して抽水モーター１２が再び運転を開始するに当たり、空転により容易に抽水モーター１２の故障をまねき、これが使用者にとってネックと認められている。
【考案の開示】
【考案が解決しようとする課題】
【０００４】
上述した従来の構造は、停電後の回復に当たり抽水モーターが空転する欠点があり、濾過装置の機能喪失をまねく。本考案の目的は、従来型の欠点に鑑みて、濾過装置内の抽水モーターの空転、故障による逆流を有効に防止することにある。主な構造としては、濾過装置の導水管の底部に内管を挿入し、この内管を導水管内に差込むが、当該導水管内部における内管の管口の箇所には逆止弁が設置されている。逆止弁は数個の凹型溝から成る構造であり下端には止水部を具備しているので、抽水モーターが起動され水が内管の管口および導水管を流れるに当たり、その水撃作用で逆止弁を上方に押し上げ、水は凹型溝から導水管を経て濾過装置内へと流れる。これとは逆に、抽水モーター停止に当たり水は導水管から内管に向かって流れるが、この場合、逆止弁には止水部が内管の管口部分に取り付けられているため水は逆流せず濾過装置内に保たれ、抽水モーターの運転再開に当たり水位不足を原因とする空転による故障を回避できる。
【０００５】
これによって本考案は従来型の欠点を有効に解決したことになり、濾過装置内の水を水槽に逆流させず一定の水位を維持して濾過装置における恒常的な正常運転を確保せしめるものである。
【課題を解決するための手段】
【０００６】
請求項１の考案は、鑑賞魚用水槽用濾過装置の逆流防止構造において、抽水モーター付き濾過装置の導水管内に内管が設けられ、この内管が導水管内に差込まれ、当該導水管内部と内管の管口の箇所に逆止弁が設置され、
逆止弁は導水管内にあり、その一端は数個の凹型溝から成り、下端には止水部を具備し、水を止水部により内管の管口部分で遮断するよう形成されたことを特徴とする、鑑賞魚用水槽用濾過装置の逆流防止構造としている。
請求項２の考案は、請求項１記載の鑑賞魚用水槽用濾過装置の逆流防止構造において、当該逆止弁は導水管内において上下に移動可能であることを特徴とする、鑑賞魚用水槽用濾過装置の逆流防止構造としている。
請求項３の考案は、請求項１記載の鑑賞魚用水槽用濾過装置の逆流防止構造において、当該内管近くの管口において止水リングが設けられたことを特徴とする、鑑賞魚用水槽用濾過装置の逆流防止構造としている。
【考案の効果】
【０００７】
本考案の構造は従来型濾過装置の逆流という欠点を克服するものであり、濾過装置における恒常的な正常運転を確保し、良好な濾過機能を発揮させることを可能とする。
【考案を実施するための最良の形態】
【０００８】
図２〜図４に示すとおり、本考案は濾過装置３の導水管３１底部に内管３２が設けられ、導水管３１の内側と内管３２の管口３２１の箇所には逆止弁３３が設置されている。
【０００９】
そのうち、濾過装置３は水槽２の側面に取り付けられており、内部構造として内部容器３０、吐水口３０１を具備しており、内部容器３０内には抽水モーター３４があり、その側面には出水口３４１が設けられている。
【００１０】
導水管３１の形状は" かすがい型" で、その一端は濾過装置３内の内部容器３０内に至り、抽水モーター３４と連結されている。もう一端は水槽４内に伸びている。
【００１１】
内管３２は導水管３１内に挿入されており、その一端で管口３２１に近い箇所には止水リング３２２が設けられ、漏洩防止機能および内管３２の上下における長さ調節機能を有し、もう一端には若干の透過槽３２３が設けられている。
【００１２】
逆止弁３３は導水管３１内部に設置され、水撃作用により上下移動が可能である。上端部は数個の凹型溝３３１、下端部には止水リング３３２が設けられており、この止水部332 が内管３２の管口３２１の箇所において逆流水を遮断する。
【００１３】
上記の構造は図４、図５に示されるとおりである。抽水モーター３４の運転時において水槽内の水は内管３２の透過槽３２３を経て管口３２１の方向に流れ、水撃作用で管口３２１に取り付けられた逆止弁３３を上方に押し上げ、水は凹型溝３３１を通過して導水管３１までスムーズに流れ、抽水モーター３４の出水口３４１を経て内部容器３０に至り、循環濾過機能を発揮する。
【００１４】
これとは逆に、抽水モーター３４が停電により停止した場合には、内部容器３０の水位は水槽４の水位よりも高いため逆サイフォン効果が発生することから、内部容器３０の水は抽水モーター３４の出水口３４１から導水管３１へと逆流するが、水が逆止弁３３の箇所を流れるに当たり、水撃作用が下方に向かって働き、内管３２の管口３２１における止水部３３２に遮断作用を発生させて水槽４に逆流するのを阻止する（図６に示すとおり）。
【００１５】
このように、内部容器３０の水位は最高レベルが維持され、抽水モーター３４の出水口３４１の高度を超える部分に関しては、電力の回復に当たり抽水モーター３４の正常運転により濾過操作を行うことが可能であり、これによって従来型濾過装置の逆流による抽水モーター空転・故障を有効に解決するものである。
【図面の簡単な説明】
【００１６】
【図１】従来の水槽濾過装置断面図。
【図２】本考案の立体分解図。
【図３】本考案の立体外観図。
【図４】本考案の外観断面図。
【図５】本考案におけるI-I 断面図。
【図６】本考案の操作表示図。
【符号の説明】
【００１７】
１      濾過装置            １０    内部容器
１１    導水管              １２    抽水モーター
１３    吐水口              ２      水槽
３      濾過装置            ３０    内部容器
３０１  吐水口              ３１    導水管
３２    内管                ３２１  管口
３２２  止水リング          ３２３  透過槽
３３    逆止弁              ３３１  凹型溝
３３２  止水部              ３４    抽水モーター
３４１  出水口              ４      水槽
【図１】
0003118073.tif 000003
【図２】
0003118073.tif 000004
【図３】
0003118073.tif 000005
【図４】
0003118073.tif 000006
【図５】
0003118073.tif 000007
【図６】
0003118073.tif 000008